(57)【特許請求の範囲】
【請求項１】
略コ字状に形成すると共に中央辺（１ａ），（１ｂ）あるいは両端辺（１ｂ）,（１ｃ）,（２ｂ）,（２ｃ）に側部支持体貫通孔（４）を設けた棒状体たる一対の側部支持体（１），（２）と、
底辺（３ａ）の両端を略垂直方向に立ち上げるとともに、当該立ち上げた両端辺（３ｂ），（３ｃ）に底部支持体貫通孔（５）を設けた棒状体たる底部支持体（３）と、
側部支持体貫通孔（４）及び底部支持体貫通孔（５）に挿通される紐（６）と、
側部支持体貫通孔（４）及び底部支持体貫通孔（５）の下端で紐（６）に設けられる留め具（７）と、
により成る吊下装置。
【請求項２】
留め具（７）が紐（６）の結び目（８）である請求項１記載の吊下装置。
【請求項３】
留め具（７）がビーズ（９）である請求項１記載の吊下装置。
【請求項４】
留め具（７）が紐（６）を挟持するクリップ（１０）である請求項１記載の吊下装置。
【請求項５】
請求項１乃至４いずれかに記載の吊下装置を用いた、ＣＤケース等の収納ケースの吊下方法であり、
底部支持体（３）の両端辺（３ｂ），（３ｃ）のうちの一方が収納ケースの前面に位置し、他方が裏面に位置する形態で収納ケースの底面を跨ぐ形態で支持し、
一対の側部支持体（１），（２）のうちの一方の側部支持体（１）の両端辺（１ｂ），（１ｃ）のうち一方の端辺が収納ケースの前面において上方に位置し、他方の端辺が収納ケースの裏面において下方に位置する形態で収納ケースの一側面を跨ぐように支持し、他方の側部支持体（２）における両端辺（２ｂ），（２ｃ）のうち一方の端辺が収納ケースの前面において下方に位置し、他方の端辺が収納ケースの裏面において上方に位置する形態で収納ケースの他側面を跨ぐよう支持し、
収納ケースの一側面側に存する側部支持体貫通孔（４）と底部支持体貫通孔（５）にわたり紐（６）を挿通すると共に、収納ケースの他側面側に存する側部支持体貫通孔（４）と底部支持体貫通孔（５）にわたり紐（６）を挿通する吊下方法。
【請求項６】
請求項１乃至４いずれかに記載の吊下装置を用いた、ＣＤケース等の収納ケースを連続して吊り下げる吊下方法であり、
一つの収納ケースを、
底部支持体（３）の両端辺（３ｂ），（３ｃ）のうちの一方が収納ケースの前面に位置し、他方が裏面に位置する形態で収納ケースの底面を跨ぐ形態で支持し、
一対の側部支持体（１），（２）のうちの一方の側部支持体（１）の両端辺（１ｂ），（１ｃ）のうち一方の端辺が収納ケースの前面において上方に位置し、他方の端辺が収納ケースの裏面において下方に位置する形態で収納ケースの一側面を跨ぐように支持し、他方の側部支持体（２）における両端辺（２ｂ），（２ｃ）のうち一方の端辺が収納ケースの前面において下方に位置し、他方の端辺が収納ケースの裏面において上方に位置する形態で収納ケースの他側面を跨ぐよう支持し、
もって、該収納ケースを支持し、
上記収納ケースの下方に位置する収納ケースを、
底部支持体（３）の両端辺（３ｂ），（３ｃ）のうちの一方が収納ケースの他側面側において前面に位置し、他方が一側面側において裏面に位置する形態で収納ケースの底面を跨ぐように支持し、一対の側部支持体（１），（２）のうちの一方の側部支持体（１）における両端辺（１ｂ），（１ｃ）のうち一方の端辺が収納ケースの前面において下方に位置し、他方の端辺が収納ケースの裏面において上方に位置する形態で収納ケースの一側面を跨ぐように支持し、他方の側部支持体（２）における両端辺（２ｂ），（２ｃ）のうち一方の端辺が収納ケースの前面において上方に位置し、他方の端辺が収納ケースの裏面において下方に位置する形態で収納ケースの他側面を跨ぐように支持し、
上方に位置する収納ケースの一側面側に存する側部支持体貫通孔（４）と底部支持体貫通孔（５）とにわたり挿通される紐（６）を、下方に位置する収納ケースの一側面側に存する側部支持体貫通孔（４）と底部支持体貫通孔（５）においても挿通させ、上方に位置する収納ケースの他側面側に存する側部支持体貫通孔（４）と底部支持体貫通孔（５）とにわたり挿通される紐（６）を、下方に位置する収納ケースの他側面側に存する側部支持体貫通孔（４）と底部支持体貫通孔（５）においても挿通させ、
もって、該収納ケースを支持し、
以下、上方に位置する収納ケースの吊下方法と、下方に位置する収納ケースの吊下方法が、上記関係を繰り返すことで、ＣＤケース等の収納ケースを連続して吊り下げる吊下方法。
【発明の詳細な説明】
【技術分野】
【０００１】
本発明はＣＤやＤＶＤなどの収納ケースを、壁面等に陳列あるいは保管するための吊下装置及び吊下方法に関する。
【背景技術】
【０００２】
ケースに収納されたＣＤやＤＶＤ等を保管する際には、本棚型の箱体に保管することが一般的である。また、店舗等で販売する際には、ジャケット面が見える形でラックに平積みしたり、背表紙面が見える形で並列載置がなされている。
【０００３】
特開２００４−８１６５６号公報には、全体が１枚の板紙より成り、折畳み可能なハンガーディスプレイが開示されている。この発明は、後述する本発明が紐と棒状体のみを構成要素とする点、また本発明がジャケット面を全面的に表示できる点で異なる。
【０００４】
実開昭６０−１４０４６９号公報には、陳列ケースを、上下の棚縁にわたり回動可能に取り付けたＣＤの陳列装置が開示されている。この発明は、後述する本発明が紐と棒状体のみを構成要素とする点で異なる。
【０００５】
登録実用新案公報第３０１６７１１号には、Ｖ字型の切り込みを設けた板紙製の販売ケースであって、切り込み同士を係合させることで連続的に吊下可能な販売ケースが開示されている。この発明は、後述する本発明が紐と棒状体のみを構成要素とする点、また本発明がジャケット面を全面的に表示できる点で異なる。
【先行技術文献】
【特許文献】
【０００６】
【特許文献１】特開２００４−８１６５６号公報
【特許文献２】実開昭６０−１４０４６９号公報
【特許文献３】登録実用新案第３０１６７１１号公報
【発明の概要】
【発明が解決しようとする課題】
【０００７】
従来の本棚型の収納器具は一定の空間を占拠するうえ、揺れによって倒れやすく、収納されている個々の収納ケースが飛び出して落下する恐れもある。また、収納ケースのジャケット面を重ねる形で収納されることも多く、ＣＤやＤＶＤ等の内容の表示を確認しづらいという難点も有する。
【０００８】
本発明は上記問題点を解決するために考案されたものであり、つまりは大きな空間を占拠せず、倒れる恐れがなく、しかも個々の収納ケースが飛び出して落下する可能性も小さく、更には展示方法によっては、ジャケット面を容易に確認できるＣＤやＤＶＤ等収納ケースの吊下装置及び吊下方法を提案することを課題とする。
【課題を解決するための手段】
【０００９】
上記の目的を達成する本発明の構成は次の通りである。
【００１０】
(１)  請求項１に係る吊下装置は、略コ字状に形成すると共に中央辺あるいは両端辺に貫通孔を設けた棒状体たる一対の側部支持体と、
底辺の両端を略垂直方向に立ち上げるとともに、当該立ち上げた両端辺に貫通孔を設けた棒状体たる底部支持体と、
貫通孔に挿通される紐と、
貫通孔の下端で紐に設けられる留め具とを有する。
【００１１】
（２）請求項２に係る吊下装置は、請求項１における留め具が紐の結び目であることを特徴とする。
【００１２】
（３）請求項３に係る吊下装置は、請求項１における留め具がビーズであることを特徴とする。
【００１３】
（４）請求項４に係る吊下装置は、請求項１における留め具が紐を挟持するクリップであることを特徴とする。
【００１４】
（５）請求項５に係る吊下方法は、請求項１乃至４いずれかに記載の吊下装置を用いるものであり、
底部支持体の両端辺が収納ケースの前面と裏面に位置する形態で収納ケースの底面を支持し、
一対の側部支持体のうちの一方の側部支持体の両端辺が、収納ケースの前面と裏面に位置する形態で収納ケースの側面を支持し、
他方の側部支持体の両端辺が、上記側部支持体の両端辺と前・裏が逆に位置する形態で収納ケースの側面を支持し、
収納ケースの同一側面側に存する貫通孔にわたり紐を挿通するものである。
【００１５】
（６）請求項６に係る吊下方法は、請求項１乃至４いずれかに記載の吊下装置を用いるものであり、
一つの収納ケースを、
底部支持体の両端辺が収納ケースの前面と裏面に位置する形態で収納ケースの底面を支持し、
一対の側部支持体のうちの一方の側部支持体の両端辺が、収納ケースの前面と裏面に位置する形態で収納ケースの側面を支持し、
他方の側部支持体の両端辺が、上記側部支持体の両端辺と前・裏が逆に位置する形態で収納ケースの他方側面を支持し、
もって、該収納ケースを支持し、
上記収納ケースの下方に位置する収納ケースを、
底部支持体の両端辺が収納ケースの前面と裏面に位置する形態で、且つ、上方に位置する収納ケースを支持する底部支持体の両端辺と、前・裏が逆に位置する形態で収納ケースの底面を支持し、
一対の側部支持体のうちの一方の側部支持体の両端辺が、収納ケースの前面と裏面に位置する形態で、且つ、上方に位置する収納ケースの同じ側の側面を支持する側部支持体の両端辺と、前・裏が逆に位置する形態で収納ケースの側面を支持し、
他方の側部支持体の両端辺が、上記側部支持体の両端辺と前・裏が逆に位置する形態で収納ケースの他方側面を支持し、
上方に位置する収納ケースを支持する吊下具の貫通孔に挿通される紐を、下方に位置する収納ケースを支持する吊下具の、収納ケースの同一側面側に存する貫通孔に連続して挿通し、
もって、該収納ケースを支持し、
以下、上方に位置する収納ケースの吊下方法と、下方に位置する収納ケースの吊下方法が、上記関係を繰り返すことで、ＣＤケース等の収納ケースを連続して吊り下げるものである。
【発明の効果】
【００１６】
上記のように構成される本発明が、いかに作用して課題を解決する効果を有するかを、図面を参照しながら述べる。
【００１７】
図１、図２に示すように本発明に係る吊下装置は、底部支持体３及び一対の側部支持体１，２で収納ケース１１を吊り下げ、もって支持するものである。
【００１８】
図３、図４に示されるように底部支持体３、側部支持体１，２は、いずれも屈曲された棒状体であり、かかる棒状体と紐６を主要構成体として収納ケース１１を保管できる。つまりは、従来の本棚型の箱体に保管する場合等に比べ、圧倒的に小さなスペースで保管が可能となるのである。
【００１９】
更には、図６に示すように吊下フック１２に並列的に吊り下げることが可能であり、小空間に相当数の収納ケースを保管することが可能である。
【００２０】
また、先述のように従来の本棚型の箱体に保管する場合は、収納ケース自体は固定されておらず、大きな揺れが加わった場合に収納ケースが飛び出し、あるいは箱体自体が倒れる恐れがある。これに対し、本発明は各収納ケース毎に側部支持体と底部支持体で保持されており、収納ケースが飛び出すおそれは小さい。しかも装置全体が紐により吊り下げられていることから、揺れが加わっても揺動するのみであり、倒れるおそれがない。
【００２１】
本発明によれば、各収納ケースは上下方向に連続して吊り下げ、保管されるものであるから、図２に示されるようにジャケット面１１ａを良く視認しうる。ゆえに、図５に示すように壁一面にジャケット面１１ａを表示させることが可能であり、収集家が自室の壁面を埋めるといった嗜好を満たし、あるいは効果的な販売展示が可能となる。
【図面の簡単な説明】
【００２２】
【図１】本発明の実施状態を示す要部斜視図
【図２】本発明の実施状態を示す斜視図
【図３】ａ  底部支持体の正面図          ｂ  同斜視図          ｃ  他の実施形態を示す斜視図
【図４】ａ  一対の側部支持体の正面図          ｂ  同斜視図          ｃ  他の実施形態を示す斜視図
【図５】本発明の実施例を示す斜視図
【図６】本発明の他の実施例を示す斜視図
【発明を実施するための形態】
【００２３】
以下、好ましい発明の一実施形態につき図面を参照しながら詳述する。
【００２４】
図３に示される底部支持体３は、底辺３ａの両端を略垂直方向に立ち上げるとともに、当該立ち上げた両端辺３ｂ，３ｃそれぞれに長手方向に貫通孔５を設けた棒状体である。
【００２５】
材質は荷重に耐えうるものであれば、木製、樹脂製、金属製いずれも使用可能である。
【００２６】
また、貫通孔５を設ける位置は、端辺３ｂ，３ｃの長手方向に限定されるものではなく、端辺３ｂ，３ｃの中途位置で正面側から背面側に向けて設けても構わない。あるいは図３ｃに示されるように、側面位置に複数設けても構わない。その他の位置でも、底部支持体３の形状を維持しつつ、収納ケースを支持しうる範囲で変更可能なものである。
【００２７】
図４ａ,ｂに示される側部支持体１，２は、略コ字状に形成すると共に中央辺１ａ，２ａの長手方向に貫通孔４を設けた棒状体である。
【００２８】
材質は荷重に耐えうるものであれば、木製、樹脂製、金属製いずれも使用可能である。
【００２９】
また、貫通孔４を設ける位置は、中央辺１ａの長手方向に限定されるものではなく、中央辺１ａの中途位置で正面側から背面側に向けて設けても構わない。その他の位置でも、側部支持体１，２の形状を維持しつつ、収納ケースを支持しうる範囲で変更可能なものである。
【００３０】
また、図４ｃに示されるように両端辺１ｂ,１ｃ,２ｂ,２ｃに貫通孔４を設け、紐６を挿通するようにしても構わない。
【００３１】
通常のＣＤケースやＤＶＤケースのサイズが高さ１２５ｍｍ、幅１４２ｍｍ、厚み１０ｍｍ程度であることから、底部支持体３は、高さ１５ｍｍ、幅７０ｍｍ、厚み２ｍｍ程度に形成することが好ましい。また、側部支持体１，２は、高さ１７ｍｍ、幅１２ｍｍ、厚み２ｍｍ程度に形成することが好ましい。また、貫通孔４，５は直径１ｍｍ程度に形成することが好ましい。当該貫通孔４，５に挿通される紐６の直径は０．８ｍｍ程度が好ましい。
【００３２】
むろんこのサイズは一例であり、収納ケースのサイズに応じ、あるいは収納ケースの重量に応じて、適宜変更可能あるいは変更を要するものであり、あるいは収納ケースを支持可能であれば、任意のサイズに変更可能なものである。
【００３３】
紐６は、荷重に耐えうるものであればその材質は問わない。紐６は収納ケースの同一側面側に存する貫通孔４，５にわたり挿通されるものである
当該紐６には、貫通孔４，５の下端で留め具７が設けてある。この留め具７は収納ケース１１を支える側部支持体１，２及び底部支持体３が、下方に落下しないために設けられるものである。かかる機能ゆえ、留め具７は収納ケース１１の荷重を支えることが可能なものであれば、いかなるものでもよい。具体的には紐６に結び目８を設けて留め具７としてもよいし、ビーズ９を紐６に接着して留め具７としてもよい。また、クリップ１０で紐６を挟持し、留め具７としてもよい。
【００３４】
本発明にかかる吊下装置による具体的な吊下方法は、図１を用いて概説する。
【００３５】
収納ケース１１の底面を支持する底部支持体３は、その両端辺３ｂ，３ｃが収納ケース１１の前面と裏面に位置する形態で配置される。
【００３６】
収納ケース１１の一方側面を支持する側部支持体１は、その両端辺１ｂ、１ｃが、収納ケース１１の前面と裏面に位置する形態で配置される。他方側面を支持する側部支持体２は、その両端辺２ｂ，２ｃが、相対する端辺１ｂ、１ｃと逆面、すなわち端辺１ｂが前面にあれば端辺２ｂは裏面に、端辺１ｃが裏面にあれば端辺２ｃは前面に位置する態様で配置される。
【００３７】
これは側部支持体１，２の各端辺が同じ形態で配置されると、収納ケース１１が前後方向に傾斜する恐れがあるため、逆面に配置し傾斜する力を相殺するためのものである。
【００３８】
側部支持体１の中央辺１ａの貫通孔４に挿通される紐６は次に、底部支持体３の端辺３ｂの貫通孔５に挿通される。一方、側部支持体２の中央辺２ａの貫通孔４に挿通される紐６は次に、底部支持体３の端辺３ｃの貫通孔５に挿通される。
【００３９】
収納ケース１１を複数連続して吊り下げる場合には、上部に位置する収納ケース１１に配置される底部支持体３の両端辺３ｂ，３ｃ、側部支持体１，２の両端辺１ｂ、１ｃ及び２ｂ，２ｃと、次下に位置する収納ケース１１に配置される底部支持体３の両端辺３ｂ，３ｃ、側部支持体１，２の両端辺１ｂ、１ｃ及び２ｂ，２ｃとが、収納ケース１１の前面と裏面において逆に来るように配置される。
【００４０】
すなわち、上部に位置する側部支持体１の端辺１ｂが前面にあれば、真下に位置する側部支持体１の端辺１ｂは裏面に配置され、同じく上部に位置する側部支持体２の端辺２ｂが裏面にあれば、真下に位置する側部支持体２の端辺２ｂは前面に配置される。これは、各収納ケース１１，１１毎の前後方向への傾斜する力を相殺するためのものである。
【００４１】
また、上部に位置する底部支持体３の端辺３ｂが裏面にあれば、真下に位置する底部支持体３の端辺３ｂは前面に配置される。これは、各収納ケース１１，１１毎の捻じれようとする力を相殺するためのものである。
【００４２】
上方に位置する収納ケース１１を支持する側部支持体１の中央辺１ａの貫通孔４、続いて端辺３ｂに設けられた貫通孔５に挿通される紐６は、下方に位置する収納ケース１１の、側部支持体１に設けられた貫通孔４に連続して挿通される。同様に上方に位置する側部支持体２の中央辺２ａの貫通孔４、続いて端辺３ｃに設けられた貫通孔５に挿通される紐６は、下方に位置する側部支持体２に設けられた貫通孔４に連続して挿通される。かように紐６は、収納ケース１１の同一側面に配置される側部支持体、底部支持体にわたり挿通されていくものである。
【符号の説明】
【００４３】
１・・側部支持体
１ａ・・中央辺
１ｂ・・端辺
１ｃ・・端辺
２・・側部支持体
２ａ・・中央辺
２ｂ・・端辺
２ｃ・・端辺
３・・底部支持体
３ａ・・底辺
３ｂ・・端辺
３ｃ・・端辺
４・・貫通孔
５・・貫通孔
６・・紐
７・・係止具
８・・結び目
９・・ビーズ
１０・・クリップ
【図１】
0005677817.tif 000002
【図２】
0005677817.tif 000003
【図３】
0005677817.tif 000004
【図４】
0005677817.tif 000005
【図５】
0005677817.tif 000006
【図６】
0005677817.tif 000007